(57)【要約】【課題】プラント工場で管理されるプロセスデータの不正な改ざんを防止する。【解決手段】プラント工場のプロセスデータを更新するためのデータ更新指示が入力されると、当該データが基準値を超えているか否かを判定し、超えているときには当該データが異常値であると判定する異常値判定部１７と、当該データが異常値であると判定されたときには当該データをロックして更新不可能な状態にするデータ更新制御部１６と、当該データが異常値であると判定されたことを報知するメッセージを表示するメッセージ表示制御部２４とを有する。【選択図】図１
2010205211.tif 000002
【特許請求の範囲】
【請求項１】
プラントに設置されたセンサで計測されたプロセスデータを管理するデータ管理サーバと、このデータ管理サーバで管理されるプロセスデータを前記プラントを監視する監視員に提供する中央監視装置とがネットワークを介して接続された運転管理システムにおいて、
前記データ管理サーバは、
前記センサから取得されたプロセスデータを記憶するファイリングデータ記憶部と、
予め設定された、前記プロセスデータの正常範囲の上限値を基準値として記憶する基準値記憶部と、
前記ファイリングデータ記憶部に記憶されたプロセスデータを更新するためのデータ更新指示が前記中央監視装置から送信されると、前記ファイリングデータ記憶部に記憶されたプロセスデータと前記基準値記憶部に記憶された基準値とを比較し、前記基準値を超えたプロセスデータを異常値であると判定する異常値判定部と、
前記異常値判定部において当該プロセスデータが異常値であると判定されたときには当該プロセスデータをロックして更新不可能な状態にするとともに、当該プロセスデータが異常値であると判定されたことを前記中央監視装置に通知するデータ更新制御部と、
を有し、
前記中央監視装置は、
前記ファイリングデータ記憶部に記憶されたプロセスデータを表示する表示部と、
前記表示部に表示されたプロセスデータが監視されたことにより、前記監視員により入力された前記データ更新指示を、前記データ管理サーバに送信する入力情報送信部と、
前記データ更新制御部から当該プロセスデータが異常値であると判定されたことが通知されたときに、当該プロセスデータの更新が不可能であることを報知するメッセージを前記表示部に表示させるメッセージ表示制御部と、
を備えたことを特徴とする運転管理システム。
【請求項２】
前記プロセスデータは、ばい煙濃度の計測データである
ことを特徴とする請求項１に記載の運転管理システム。
【請求項３】
プラントを監視する監視員に提供する中央監視装置にネットワークを介して接続されたデータ管理サーバにおいて、
前記プラントに設置されたセンサから取得されたプロセスデータを記憶するファイリングデータ記憶部と、
予め設定された、前記プロセスデータの正常範囲の上限値を基準値として記憶する基準値記憶部と、
前記ファイリングデータ記憶部に記憶されたプロセスデータを更新するためのデータ更新指示が前記中央監視装置から送信されると、前記ファイリングデータ記憶部に記憶されたプロセスデータと前記基準値記憶部に記憶された基準値とを比較し、前記基準値を超えたプロセスデータを異常値であると判定する異常値判定部と、
前記異常値判定部において当該プロセスデータが異常値であると判定されたときには当該プロセスデータをロックして更新不可能な状態にするとともに、当該プロセスデータが異常値であると判定されたことを、前記中央監視装置に表示させるために通知するデータ更新制御部と
を備えたことを特徴とするデータ管理サーバ。
【請求項４】
プラントに設置されたセンサで計測されたプロセスデータを管理するデータ管理サーバと、このデータ管理サーバで管理されるプロセスデータを、前記プラントを監視する監視員に提供する中央監視装置とがネットワークを介して接続された運転管理システムの、
前記データ管理サーバが、前記センサから取得されたプロセスデータを記憶し、
前記データ管理サーバが、予め設定された前記プロセスデータの正常範囲の上限値を基準値として記憶し、
前記中央監視装置が、前記データ管理サーバに記憶されたプロセスデータを表示し、
前記中央監視装置が、表示したプロセスデータが監視されたことにより前記監視員により入力された、前記プロセスデータを更新するためのデータ更新指示を前記データ管理サーバに送信し、
前記データ管理サーバが、前記データ更新指示が前記中央監視装置から送信されたときに、記憶されたプロセスデータと記憶された基準値とを比較し、前記基準値を超えたプロセスデータを異常値であると判定し、
前記データ管理サーバが、当該プロセスデータが異常値であると判定したときには当該プロセスデータをロックして更新不可能な状態にするとともに、当該プロセスデータが異常値であると判定したことを前記中央監視装置に通知し、
前記中央監視装置が、当該プロセスデータが異常値であると判定されたことが前記データ管理サーバから通知されたときに、当該プロセスデータの更新が不可能であることを報知するメッセージを表示する
ことを特徴とする運転管理方法。
【請求項５】
前記プロセスデータは、ばい煙濃度の計測データである
ことを特徴とする請求項４に記載の運転管理方法。
【発明の詳細な説明】
【技術分野】
【０００１】
本発明は、プラント工場の運転状況を監視する運転管理システム、およびこれに利用するデータ管理サーバ、運転管理方法に関する。
【背景技術】
【０００２】
従来、各種プラント工場においては、運転により発生するプロセスデータを計測して中央装置で管理することが行われている。
【０００３】
例えば特許文献１には、工場内に取り付けられたセンサや計測計で測定されたプロセスデータを中央の監視装置に蓄積し、必要に応じて表示装置に表示させることにより運転管理者に提供する技術が記載されている。このようにしてプロセスデータを表示させることで、運転管理者により工場内の運転状況の監視が行われる。
【０００４】
中でも、半導体製造工場や紙パルプ製造工場などの排煙脱硫装置が設置されたプラント工場では、プロセスデータとして燃焼等に伴い発生するばい煙量またはばい煙濃度を測定し、その結果を記録することが大気汚染防止法により義務付けられている。
【０００５】
そのため、特許文献１に記載されたように監視装置で取得され表示装置に表示されたプロセスデータが適宜作表に印字され、日報、月報、年報等としてファイリングされて保管される。
【先行技術文献】
【特許文献】
【０００６】
【特許文献１】特開２００８−５９１４４号公報
【発明の概要】
【発明が解決しようとする課題】
【０００７】
ところで、上述したようなプロセスデータの管理において、工場内の機器の定期点検や故障の際または監視装置が停止した際には、表示装置で表示させるプロセスデータの測定結果に欠測箇所が生じることがあるが、この欠測箇所のデータは手動で入力することが可能になっている。
【０００８】
このようにプロセスデータを手動で入力可能にしたことで欠測箇所のデータを補完することができるという利点はあるが、一方でこの機能を悪用した異常値の改ざんなどが行われるおそれがあるという問題があった。
【０００９】
本発明は上記事情に鑑みてなされたものであり、プラント工場で管理されるプロセスデータの不正な改ざんを防止する運転管理システム、およびこれに利用するデータ管理サーバ、運転管理方法を提供することを目的とする。
【課題を解決するための手段】
【００１０】
上記目的を達成するための本発明の運転管理システムは、プラントに設置されたセンサで計測されたプロセスデータを管理するデータ管理サーバと、このデータ管理サーバで管理されるプロセスデータを、前記プラントを監視する監視員に提供する中央監視装置とがネットワークを介して接続された運転管理システムにおいて、前記データ管理サーバは、前記センサから取得されたプロセスデータを記憶するファイリングデータ記憶部と、予め設定された、前記プロセスデータの正常範囲の上限値を基準値として記憶する基準値記憶部と、前記ファイリングデータ記憶部に記憶されたプロセスデータを更新するためのデータ更新指示が前記中央監視装置から送信されると、前記ファイリングデータ記憶部に記憶されたプロセスデータと前記基準値記憶部に記憶された基準値とを比較し、前記基準値を超えたプロセスデータを異常値であると判定する異常値判定部と、前記異常値判定部において当該プロセスデータが異常値であると判定されたときには当該プロセスデータをロックして更新不可能な状態にするとともに、当該プロセスデータが異常値であると判定されたことを前記中央監視装置に通知するデータ更新制御部とを有し、前記中央監視装置は、前記ファイリングデータ記憶部に記憶されたプロセスデータを表示する表示部と、前記表示部に表示されたプロセスデータが監視されたことにより、前記監視員により入力された前記データ更新指示を、前記データ管理サーバに送信する入力情報送信部と、前記データ更新制御部から当該プロセスデータが異常値であると判定されたことが通知されたときに、当該プロセスデータの更新が不可能であることを報知するメッセージを前記表示部に表示させるメッセージ表示制御部とを備えたことを特徴とする。
【００１１】
また、本発明のデータ管理サーバは、プラントを監視する監視員に提供する中央監視装置にネットワークを介して接続されたデータ管理サーバにおいて、前記プラントに設置されたセンサから取得されたプロセスデータを記憶するファイリングデータ記憶部と、予め設定された、前記プロセスデータの正常範囲の上限値を基準値として記憶する基準値記憶部と、前記ファイリングデータ記憶部に記憶されたプロセスデータを更新するためのデータ更新指示が前記中央監視装置から送信されると、前記ファイリングデータ記憶部に記憶されたプロセスデータと前記基準値記憶部に記憶された基準値とを比較し、前記基準値を超えたプロセスデータを異常値であると判定する異常値判定部と、前記異常値判定部において当該プロセスデータが異常値であると判定されたときには当該プロセスデータをロックして更新不可能な状態にするとともに、当該プロセスデータが異常値であると判定されたことを、前記中央監視装置に表示させるために通知するデータ更新制御部とを備えたことを特徴とする。
【００１２】
また、本発明の運転管理方法は、プラントに設置されたセンサで計測されたプロセスデータを管理するデータ管理サーバと、このデータ管理サーバで管理されるプロセスデータを、前記プラントを監視する監視員に提供する中央監視装置とがネットワークを介して接続された運転管理システムの、前記データ管理サーバが、前記センサから取得されたプロセスデータを記憶し、前記データ管理サーバが、予め設定された前記プロセスデータの正常範囲の上限値を基準値として記憶し、前記中央監視装置が、前記データ管理サーバに記憶されたプロセスデータを表示し、前記中央監視装置が、表示したプロセスデータが監視されたことにより前記監視員により入力された、前記プロセスデータを更新するためのデータ更新指示を前記データ管理サーバに送信し、前記データ管理サーバが、前記データ更新指示が前記中央監視装置から送信されたときに、記憶されたプロセスデータと記憶された基準値とを比較し、前記基準値を超えたプロセスデータを異常値であると判定し、前記データ管理サーバが、当該プロセスデータが異常値であると判定したときには当該プロセスデータをロックして更新不可能な状態にするとともに、当該プロセスデータが異常値であると判定したことを前記中央監視装置に通知し、前記中央監視装置が、当該プロセスデータが異常値であると判定されたことが前記データ管理サーバから通知されたときに、当該プロセスデータの更新が不可能であることを報知するメッセージを表示することを特徴とする。
【発明の効果】
【００１３】
本発明の運転管理システム、およびこれに利用するデータ管理サーバ、運転管理方法によれば、プラント工場で管理されるプロセスデータの不正な改ざんを防止することができる。
【図面の簡単な説明】
【００１４】
【図１】本発明の一実施形態による運転管理システムの構成を示すブロック図である。
【図２】本発明の一実施形態による運転管理システムの動作を示すフローチャートである。
【図３】本発明の一実施形態による運転管理システムの中央監視装置に表示されるファイリングデータおよびメッセージの一例を示す画面構成図である。
【発明を実施するための形態】
【００１５】
本発明の一実施形態として、半導体製造工場や紙パルプ製造工場など、排煙脱硫装置が設置されたプラント工場において、ばい煙濃度のプロセスデータが管理される運転管理システムについて説明する。
【００１６】
〈一実施形態による運転管理システムの構成〉
本実施形態による運転管理システムの構成について、図１を参照して説明する。
【００１７】
本実施形態による運転管理システム１は、プラントに設置されたセンサで計測されたプロセスデータを管理するデータ管理サーバ１０と、このデータ管理サーバ１０で管理されるプロセスデータを、当該プラントを監視する監視員に提供する中央監視装置２０とがネットワーク３０を介して接続されることにより構成されている。
【００１８】
データ管理サーバ１０は、ファイリングデータ項目記憶部１１と、基準値記憶部１２と、プロセスデータ取得部１３と、ファイリングデータ記憶部１４と、ばい煙データ抽出部１５と、データ更新制御部１６と、異常値判定部１７とを有する。
【００１９】
ファイリングデータ項目記憶部１１は、当該プラントに設置された各種センサで計測されるプロセスデータのうち、ファイリングの対象となるプロセスデータの項目をファイリングデータ項目として予め記憶する。
【００２０】
基準値記憶部１２は、ファイリングデータ項目記憶部１１に記憶されたファイリングの対象となるプロセスデータの正常範囲の上限値を、正常値と異常値とを判別する基準値としてを予め記憶する。この基準値は、例えばばい煙濃度のプロセスデータについては、都道府県の大気汚染防止に関する条例等で定められた規制に基づいて設定される。
【００２１】
プロセスデータ取得部１３は、当該プラントに設置された各種センサで計測されたプロセスデータのうち、ファイリングデータ項目記憶部１１で記憶された項目のプロセスデータを取得する。
【００２２】
ファイリングデータ記憶部１４は、プロセスデータ取得部１３で取得されたプロセスデータを、ファイリングデータとして記憶する。
【００２３】
ばい煙データ抽出部１５は、中央監視装置２０からばい煙濃度のデータ要求指示が送信されると、ファイリングデータ記憶部１４に記憶されたプロセスデータの中からばい煙濃度のプロセスデータを抽出して中央監視装置２０に送信する。
【００２４】
データ更新制御部１６は、中央監視装置２０から送信されたファイリングデータ記憶部１４に記憶されたファイリングデータを更新するためのデータ更新指示を受信すると当該ファイリングデータが異常値であるか判定するか、または後述する異常値判定部１７に異常値であるかを判定させる。そして、何れかによって異常値であると判定されたときには当該ファイリングデータをロックして更新不可能な状態にするとともに当該ファイリングデータが異常値であったことを中央監視装置２０に通知する。
【００２５】
一方、当該ファイリングデータが正常値であると判定されたときには当該データ更新指示に基づいてファイリングデータ記憶部１４内の当該ファイリングデータを更新する。
【００２６】
異常値判定部１７は、ファイリングデータ記憶部１４に記憶されたファイリングデータと基準値記憶部１２に記憶された基準値とを比較し、基準値を超えたファイリングデータを異常値であると判定し、基準値を超えていないファイリングデータを正常値であると判定する。
【００２７】
中央監視装置２０は、ユーザ入力部２１と、入力情報送信部２２と、表示部２３と、メッセージ表示制御部２４とを有する。
【００２８】
ユーザ入力部２１は、ユーザである当該プラントを監視する監視員により操作されるインターフェースであり、データ管理サーバ１０のファイリングデータ記憶部１４から所望のファイリングデータを取得するためのデータ要求指示や、所望のファイリングデータを更新するためのデータ更新指示を入力する。
【００２９】
入力情報送信部２２は、ユーザ入力部２１から入力されたデータ要求指示やデータ更新指示を、データ管理サーバ１０に送信する。
【００３０】
表示部２３は、入力情報送信部２２からデータ要求指示が送信されたことにより、ファイリングデータ記憶部１４から送信されたファイリングデータを受信し、表示する。
【００３１】
メッセージ表示制御部２４は、入力情報送信部２２から送信されたデータ更新指示による更新対象のファイリングデータが異常値である通知をデータ管理サーバ１０から受信したときに、当該更新が不可能であることを示すメッセージを表示部２３に表示させる。
【００３２】
〈一実施形態による運転管理システムの動作〉
次に、本実施形態による運転管理システム１の動作について、図２を参照して説明する。図２は、本実施形態におけるデータ管理サーバ１０の動作を示すフローチャートである。
【００３３】
本実施形態においては、予めデータ管理サーバ１０のファイリングデータ項目記憶部１１に、当該プラントに設置された各種センサで計測されるプロセスデータのうち、ファイリングの対象となるプロセスデータの項目がファイリングデータ項目として記憶されているものとする。また基準値記憶部１２に、ファイリングデータ項目記憶部１１にファイリングの対象として記憶されたプロセスデータの正常範囲の上限値が、正常値と異常値とを判別するための基準値として記憶されているものとする。
【００３４】
これらの情報が記憶された状態で運転管理システム１が稼動されると、当該プラントに設置された各種センサで計測されたプロセスデータのうち、ファイリングデータ項目記憶部１１で記憶された項目のプロセスデータが、データ管理サーバ１０のプロセスデータ取得部１３において所定時間間隔で取得される（Ｓ１）。この所定時間間隔とは、取得されるプロセスデータの動向を認識できる程度の時間間隔であり、例えば、ばい煙データに関しては１時間間隔程度である。
【００３５】
このプロセスデータ取得部１３で取得されたプロセスデータは、ファイリングデータ記憶部１４にファイリングデータとして順次記憶される（Ｓ２）。
【００３６】
次に、中央監視装置２０においてユーザである当該プラントを監視する監視員によりユーザ入力部２１から、所望のファイリングデータとしてばい煙データを取得するためのデータ要求指示が入力されると、このデータ要求指示が入力情報送信部２２によりデータ管理サーバに送信される。
【００３７】
データ管理サーバ１０では、中央監視装置２０の入力情報送信部２２から送信されたばい煙データのデータ要求指示が受信されると（Ｓ３）、ファイリングデータ記憶部１４に記憶されたファイリングデータの中から現在から所定期間前までのばい煙データがばい煙データ抽出部１５により抽出され、中央監視装置２０に送信される（Ｓ４）。
【００３８】
中央監視装置２０では、データ管理サーバ１０のばい煙データ抽出部１５から送信された所定期間のばい煙データが受信され、表示部２３に表示される。このようにして表示されたばい煙データが、監視員により監視される。
【００３９】
監視員に監視されたことにより、ファイリングデータ記憶部１４に記憶されたファイリングデータの中の一のばい煙データを更新するためのデータ更新指示が監視員によりユーザ入力部２１から入力されると、このデータ更新指示が入力情報送信部２２によりデータ管理サーバに送信される。
【００４０】
データ管理サーバ１０では、中央監視装置２０の入力情報送信部２２から送信されたばい煙データのデータ更新指示がデータ更新制御部１６で受信される（Ｓ５）。データ更新制御部１６では、ばい煙データのデータ更新指示を受信すると、ファイリングデータ記憶部１４内の更新対象のばい煙データが正常値であるかまたは異常値であるかを異常値判定部１７に判定させる（Ｓ６）。
【００４１】
異常値判定部１７ではファイリングデータ記憶部１４に記憶された更新対象のばい煙データと基準値記憶部１２に記憶されたばい煙データの基準値とが比較され、更新対象のばい煙データが欠測値であるかまたは、基準値記憶部１２に記憶されたばい煙データの基準値を超えていないときには当該ばい煙データは正常値であると判定される（Ｓ６の「NO」）。異常値判定部１７において当該ばい煙データが正常値であると判定されたときには、データ更新制御部１６により当該ばい煙データが、受信されたデータ更新指示に基づいて更新される（Ｓ７）。
【００４２】
また異常値判定部１７においてファイリングデータ記憶部１４に記憶された更新対象のばい煙データと基準値記憶部１２に記憶されたばい煙データの基準値とが比較された結果、更新対象のばい煙データが基準値記憶部１２に記憶されたばい煙データの基準値を超えているときには当該ばい煙データは異常値であると判定される（Ｓ６の「YES」）。異常値判定部１７において当該ばい煙データが異常値であると判定されたときには、データ更新制御部１６により当該ばい煙データがロックされて更新不可能な状態にされるとともに、当該ばい煙データが異常値であることが中央監視装置２０に通知される（Ｓ８）。
【００４３】
中央監視装置２０では、データ管理サーバ１０から通知された当該ばい煙データが異常値であることを示す通知を受信すると、メッセージ表示制御部２４の制御により、当該更新が不可能であることを報知するメッセージが表示部２３に表示される。
【００４４】
この更新が不可能であることを示すメッセージが表示部２３に表示された画面構成図の一例を、図３に示す。
【００４５】
図３の画面構成図では、ユーザ入力部２１から入力されたデータ取得指示によりばい煙データ抽出部１５で抽出された所定期間のばい煙データのファイリングデータとして、１時間ごとの窒素酸化物（ＮＯｘ）の濃度（ppm）および硫黄酸化物（ＳＯｘ）の濃度（ppm）がそれぞれ表示部２３の画面に表示されており、この例においては窒素酸化物（ＮＯｘ）の濃度は時刻9:00が48ppm、時刻10:00が48ppm、時刻11:00が51ppm、時刻12:00が49ppmである。またここで基準値記憶部１２には、窒素酸化物（ＮＯｘ）の基準値が50ppmとして記憶されているものとする。
【００４６】
上述した窒素酸化物（ＮＯｘ）のファイリングデータが表示部２３に表示された後、監視員によるユーザ入力部２１の操作により、例えば時刻11:00の窒素酸化物（ＮＯｘ）の濃度のデータ２３１（51ppm）を更新するためのデータ更新指示が入力されると、このデータが基準値記憶部１２に記憶された窒素酸化物（ＮＯｘ）の基準値50ppmを超えているため異常値であることが異常値判定部１７で判定され、この判定結果によりメッセージ表示制御部２４の制御でメッセージ画面２３２がポップアップ表示で当該表示部２３内に表示される。このメッセージ画面２３２においては、メッセージ「基準値以下へデータを変更することはできません。」が表示されている。
【００４７】
このように異常値であると判定されたプロセスデータのファイリングデータがロックされるとともにメッセージが表示されることで、基準値を超えたデータの改ざんを防止でき、また基準値を超えていることを監視員に認識させることができ、コンプライアンスに対応したシステムを提供することが可能になる。
【符号の説明】
【００４８】
１…運転管理システム
１０…データ管理サーバ
１１…ファイリングデータ項目記憶部
１２…基準値記憶部
１３…プロセスデータ取得部
１４…ファイリングデータ記憶部
１５…ばい煙データ抽出部
１６…データ更新制御部
１７…異常値判定部
２０…中央監視装置
２１…ユーザ入力部
２２…入力情報送信部
２３…表示部
２４…メッセージ表示制御部
３０…ネットワーク
【図１】
2010205211.tif 000003
【図２】
2010205211.tif 000004
【図３】
2010205211.tif 000005